【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
第３の視聴条件に適合した画像の第３のカラーグレーディングバージョンを取得するために、第１の視聴条件に適合した画像の第１のカラーグレーディングバージョンと前記第１のカラーグレーディングバージョンとは異なり、且つ第２の視聴条件に適合した画像の第２のカラーグレーディングバージョンを補間することを含む方法であって、
前記第１のカラーグレーディングバージョンと第２のマッピングされたカラーバージョンが第１のマッピングされたカラーバージョンに補間されるように前記第１のカラーグレーディングバージョン、前記第３の視聴条件に適合する前記第１のカラーグレーディングバージョンの第１のマッピングされたカラーバージョン、及び前記第２の視聴条件に適合する前記第１のカラーグレーディングバージョンの第２のマッピングされたカラーバージョンから前記補間することが得られる、方法。
【請求項２】
前記視聴条件は、下記のうち少なくとも１つを含む、請求項１に記載の方法。
・表示最大輝度；
・表示最小輝度；
・表示色域；
・環境最大輝度；
・環境平均輝度；
・環境の支配的な色。
【請求項３】
前記画像の前記第１のマッピングされたカラーバージョン及び前記第２のマッピングされたカラーバージョンは、視聴条件に対して調整されたカラーマッピングアルゴリズムによって取得され、少なくとも１つの色を、前記視聴条件に適合するマッピングされた色にマッピングするように構成される、請求項１又は２に記載の方法。
【請求項４】
前記補間することは、
前記第３の視聴条件に対して調整されたカラーマッピングアルゴリズムを使用して第３の視聴条件に適合する前記第１のマッピングされたカラーバージョンに前記第１のカラーグレーディングバージョンをマッピングすることと、
第２の視聴条件に対して調整された前記カラーマッピングアルゴリズムを使用して第２の視聴条件に適合する第２のマッピングされたカラーバージョンに前記第１のカラーグレーディングバージョンをマッピングすることと、
前記第１のカラーグレーディングバージョンと前記第２のマッピングされたカラーバージョンを前記第１のマッピングされたカラーバージョンに補間するように定義された、前記第１のカラーグレーディングバージョン、第１のマッピングされたカラーバージョン及び第２のマッピングされたカラーバージョンから補間関数を取得することと、
前記第３のカラーグレーディングバージョンを取得するために、前記第１のカラーグレーディングバージョンと前記第２のカラーグレーディングバージョンに前記補間関数を適用することと、
を含む、請求項３に記載の方法。
【請求項５】
カラーマッピングアルゴリズムとしてトーンマッピングアルゴリズムを使用する、請求項３に記載の方法。
【請求項６】
前記補間することは、
前記第１のカラーグレーディングバージョンから第１の輝度を取得することと、
第３の視聴条件に対して調整された前記トーンマッピングアルゴリズムを使用して、第３の視聴条件に適合する第１のマッピングされた輝度に前記第１の輝度をマッピングすることと、
第２の視聴条件に対して調整された前記トーンマッピングアルゴリズムを使用して、第２の視聴条件に適合した第２のマッピングされた輝度に前記第１の輝度をマッピングすることと、
前記第１の輝度及び第２のマッピングされた輝度を前記第１のマッピングされた輝度に補間するように定義された前記第１の輝度、第１のマッピングされた輝度及び第２のマッピングされた輝度から補間関数を取得することと、
前記第３のカラーグレーディングバージョンを取得するために、前記第１のカラーグレーディングバージョンと前記第２のカラーグレーディングバージョンに前記補間関数を適用することと、
を含む、請求項５に記載の方法。
【請求項７】
カラーマッピングアルゴリズムとして色域マッピングアルゴリズムを使用することをさらに含む、請求項３又は４のいずれか１項記載の方法。
【請求項８】
前記画像の第３のカラーグレーディングバージョンを取得するために前記画像の前記第１及び前記第２のカラーグレーディングバージョンを補間することが、前記画像の前記第３のカラーグレーディングバージョンにおける画素に対して、前記画像の前記第１及び前記第２のカラーグレーディングバージョンにおいて同じ位置にあるピクセルの色値に適用される得られた補間関数の結果として色値を決定することを含む、請求項４、６又は７のいずれか１項記載の方法。
【請求項９】
第３の視聴条件に適合した画像の第３のカラーグレーディングバージョンを取得するために、第１の視聴条件に適合した画像の第１のカラーグレーディングバージョンと前記第１のカラーグレーディングバージョンと異なり、且つ第２の視聴条件に適合した前記画像の第２のカラーグレーディングバージョンから補間するように構成されたプロセッサを備えるデバイスであって、前記第１のカラーグレーディングバージョンと第２のマッピングされたカラーバージョンが第１のマッピングされたカラーバージョンに補間されるように、前記第１のカラーグレーディングバージョン、前記第３の視聴条件に適合する前記第１のカラーグレーディングバージョンの第１のマッピングされたカラーバージョン及び前記第２の視聴条件に適合した前記第１のカラーグレーディングバージョンの第２のマッピングされたカラーバージョンから前記補間することが得られる、デバイス。
【請求項１０】
コンピュータ上でプログラムが実行されたときに、請求項１乃至８のいずれか１項記載の方法のステップを実行するプログラムコード命令を含むコンピュータプログラム。
【請求項１１】
第３の視聴条件に適合した画像の第３のカラーグレーディングバージョンを取得するために、第１の視聴条件に適合した画像の第１のカラーグレーディングバージョンと前記第１のカラーグレーディングバージョンとは異なり、且つ第２の視聴条件に適合する前記画像の第２のカラーグレーディングバージョンから少なくとも補間することをプロセッサに実行させる命令をその中に記憶したプロセッサ読取可能媒体であって、第１のカラーグレーディングバージョン及び第２のマッピングされたカラーバージョンが第１のマッピングされたカラーバージョンに補間されるように、補間することが、前記第１のカラーグレーディングバージョン、前記第３の視聴条件に適合する前記第１のカラーグレーディングバージョンの第１のマッピングされたカラーバージョンと前記第２の視聴条件に適合する前記第１のカラーグレーディングバージョンの第２のマッピングされたカラーバージョンから得られる、プロセッサ読取可能記憶媒体。
【請求項１２】
前記デバイスが、下記を含む組に属する、請求項９に記載のデバイス。
・モバイルデバイス；
・通信装置；
・ゲーム機；
・セットトップボックス；
・テレビ；
・ブルーレイディスクプレーヤ；
・プレーヤ；
・タブレット（又はタブレットコンピュータ）；
・ラップトップ；
・ディスプレイ；
・カメラ；及び
・復号チップ。
【請求項１３】
前記視聴条件は、下記のうち少なくとも１つを含む、請求項９に記載のデバイス。
・表示最大輝度；
・表示最小輝度；
・表示色域；
・環境最大輝度；
・環境平均輝度；
・環境の支配的な色。
【請求項１４】
前記画像の前記第１のマッピングされたカラーバージョン及び前記第２のマッピングされたカラーバージョンは、視聴条件に対して調整されたカラーマッピングアルゴリズムによって取得され、少なくとも１つの色を、前記視聴条件に適合するマッピングされた色にマッピングするように構成される、請求項９に記載のデバイス。
【請求項１５】
前記補間することは、
前記第３の視聴条件に対して調整されたカラーマッピングアルゴリズムを使用して第３の視聴条件に適合する前記第１のマッピングされたカラーバージョンに前記第１のカラーグレーディングバージョンをマッピングすることと、
第２の視聴条件に対して調整された前記カラーマッピングアルゴリズムを使用して第２の視聴条件に適合する第２のマッピングされたカラーバージョンに前記第１のカラーグレーディングバージョンをマッピングすることと
前記第１のカラーグレーディングバージョンと前記第２のマッピングされたカラーバージョンを前記第１のマッピングされたカラーバージョンに補間するように定義された、前記第１のカラーグレーディングバージョン、第１のマッピングされたカラーバージョン及び第２のマッピングされたカラーバージョンから補間関数を取得することと、
前記第３のカラーグレーディングバージョンを取得するために、前記第１のカラーグレーディングバージョンと前記第２のカラーグレーディングバージョンに前記補間関数を適用することと、
を含む、請求項１４に記載のデバイス。